(57)【要約】      （修正有）【課題】充電用のケーブルを直接接続せずに充電することが可能であり、充電時の安定性及び外観が優れた充電用アダプタ装置を提供する。【解決手段】携帯端末の外側面部の少なくとも一部を被覆しうるカバー部１２と、上記携帯端末に上記携帯端末に上記カバー部を装着した状態で、上記携帯端末を挿入して立て掛け可能な台部１３とからなる。上記カバー部には、上記携帯端末のＵＳＢ充電用端子１４に挿し込み可能なプラグ部１５が突設されると共に、上記カバー部の一端部には、上記プラグ部の複数のコネクタピンに夫々接続されたカバー部側接触端子部を備える。上記台部には、上記携帯端末に上記カバー部を装着した状態で、上記携帯端末を挿入可能な開口部１３ａと、上記開口部から上記携帯端末を挿入した場合に、上記カバー部側接触端子部が当接しうる位置に形成された台部側接触端子部と、ＡＣ電源アダプタに接続しうるＵＳＢ接続端子部とを配設する。【選択図】図１
0003168386.tif 000002
【実用新案登録請求の範囲】
【請求項１】
ＵＳＢ充電用端子を備えた携帯端末の充電用アダプタ装置であって、
上記携帯端末の外側面部の少なくとも一部を被覆しうるカバー部と、上記携帯端末に上記カバー部を装着した状態で、上記携帯端末を挿入して立て掛け可能な台部とからなり、
上記カバー部には、上記携帯端末のＵＳＢ充電用端子に挿し込み可能なプラグ部が突設されると共に、上記カバー部の一端部には、上記プラグ部の複数のコネクタピンに夫々接続されたカバー部側接触端子部を備え、
上記台部には、上記携帯端末に上記カバー部を装着した状態で、上記携帯端末を挿入可能な開口部と、上記開口部から上記携帯端末を挿入した場合に、上記カバー部側接触端子部が当接しうる位置に形成された台部側接触端子部と、ＡＣ電源アダプタに接続しうるＵＳＢ接続端子部とが配設されていることを特徴とする携帯端末の充電用アダプタ装置。
【請求項２】
上記カバー部側接触端子部と上記プラグ部の複数のコネクタピンとは、接続線路部によって接続され、
上記接続線路部は、上記カバー部内部に埋設して配設されていることを特徴とする請求項１記載の携帯端末の充電用アダプタ装置。
【請求項３】
上記カバー部は全体長方形状に形成され、上記携帯端末の裏面部を被覆しうる裏面被覆部と、上記裏面被覆部の外周縁部に沿って設けられ、上記携帯端末の側面部を被覆しうる側面被覆部とを備え、
上記カバー部側接触端子部は、上記カバー部の長さ方向一端部に配設されていることを特徴とする請求項１または請求項２に記載の携帯端末の充電用アダプタ装置。
【請求項４】
上記カバー部は弾性部材から形成されていることを特徴とする請求項１から請求項３の何れか１項に記載の携帯端末の充電用アダプタ装置。
【請求項５】
上記携帯端末はスマートフォンであることを特徴とする請求項１から請求項４何れか１項記載の携帯端末の充電用アダプタ装置。
【考案の詳細な説明】
【技術分野】
【０００１】
本考案は、ＵＳＢ充電用端子を備えたスマートフォン等の携帯端末の充電用アダプタ装置に関する。
【背景技術】
【０００２】
世界的な潮流に従い、近年我が国においても、従来の折畳み式、若しくはストレート式等の携帯電話から、スマートフォン型の携帯電話に需要が移りつつあり、既に多種多様なスマートフォン型携帯電話が流通している。
【０００３】
スマートフォン型の携帯電話には、製造メーカー固有のインターフェイスの充電用端子を備えた機種もあるが、近年は、充電用端子にＵＳＢ（Ｕｎｉｖｅｒｓａｌ Ｓｅｒｉａｌ Ｂｕｓ:ユニバーサル・シリアル・バス）端子を採用している機種が多く流通している。
ＵＳＢ規格は、非常に汎用度が高く、パソコンへの接続も容易であり、且つ関連デバイスを製作する場合の自由度も高いことから、今後採用機種が増加することが考えられる。
【０００４】
図５は、ＵＳＢ充電用端子を備えたスマートフォン型の携帯電話を充電する場合の接続構成を示している。
図５に示すように、スマートフォン７０は、操作用のディスプレイ７１、操作ボタン７２、及びＵＳＢ充電用端子７３等を備えている。
スマートフォン７０の充電を行う場合は、ＡＣ電源アダプタ７４のソケット部７５をコンセント７６に挿し込む。
次いで、上記ＡＣ電源アダプタ７４に設けられているＵＳＢ端子７７と、上記スマートフォン７０のＵＳＢ充電用端子７３を接続ケーブル７８で接続する。
【０００５】
スマートフォン７０は薄型の長方形板状に形成されていることから、充電中は、ディスプレイ７１を上側に向けて、平らな面に載置しておく必要があるが、角部に丸みを有するデザインが多いことから、机上やテーブル上を滑り易く、充電中に、電話等を受信した場合、バイブレーション動作によって落下してしまう虞があるという不具合を有していた。
【０００６】
一方、従来の折畳み式、若しくはストレート式の携帯電話の場合、ＡＣ電源アダプタのケーブルを直接接続する方法他、専用の充電台が付属品、若しくはオプション品として提供されていた。
充電台に携帯電話を装着して充電を行う場合には、ＡＣ電源アダプタのケーブルは、携帯電話本体ではなく、充電台に接続する。
上記充電台、及び携帯電話には、上記携帯電話を充電台に装着した場合に、互いに接触する接触端子が配設されており、上記接触端子を介して、充電が行われる。
多くの充電台には、載置面との当接部に滑り留め部材等が配設されており、テーブル上等で充電を行っている場合に、電話を受信した場合であっても、滑り落ちる虞が無く、また、機種毎に最適なデザインの充電台が提供されていたため、充電ケーブルを直接接続する場合と比較して、充電時における外観品質が高い。  
【０００７】
上記背景にも関わらず、スマートフォン型の携帯電話には、従来のような充電台が提供されておらず、充電時に生じる上記不具合は解決されていなかった。
【０００８】
また、スマートフォン型の携帯電話には、様々なデザインのカバーが提供されている。
上記カバーは、皮革、ゴム、合成樹脂、木材等の様々な素材のものが流通しており、何れも、操作対象のディスプレイ、及び側面部の各種操作ボタン、カメラレンズ等を除いた部位を被覆し、外部衝撃等から携帯電話を保護している。
【０００９】
しかしながら、衝撃保護以外の機能を有するカバーは、現在までに流通していなかった。
【考案の開示】
【考案が解決しようとする課題】
【００１０】
本考案の課題は、ＵＳＢ充電用端子を備えた携帯端末において、充電用のケーブルを直接携帯端末に接続することなく充電が可能であり、且つ充電時に電話等を受信しても、載置した場所から滑り落ちる虞が無く、且つ充電時における外観品質が高い充電用アダプタ装置を提供することにある。
【課題を解決するための手段】
【００１１】
上記課題を解決するために、請求項１の考案に係る携帯端末の充電用アダプタ装置は、ＵＳＢ充電用端子を備えた携帯端末の充電用アダプタ装置であって、
上記携帯端末の外側面部の少なくとも一部を被覆しうるカバー部と、上記携帯端末に上記携帯端末に上記カバー部を装着した状態で、上記携帯端末を挿入して立て掛け可能な台部とからなり、上記カバー部には、上記携帯端末のＵＳＢ充電用端子に挿し込み可能なプラグ部が突設されると共に、上記カバー部の一端部には、上記プラグ部の複数のコネクタピンに夫々接続されたカバー部側接触端子部を備え、上記台部には、上記携帯端末に上記カバー部を装着した状態で、上記携帯端末を挿入可能な開口部と、上記開口部から上記携帯端末を挿入した場合に、上記カバー部側接触端子部が当接しうる位置に形成された台部側接触端子部と、ＡＣ電源アダプタに接続しうるＵＳＢ接続端子部とが配設されていることを特徴とする。
【００１２】
従って、上記携帯端末にカバー部を装着することによって、上記台部に上記携帯端末を挿入して、立て掛けた状態で充電を行うことができる。
また、上記台部に携帯端末を立てかけた状態で、上記カバー部側接触端子部と上記台部側接触端子部を介して通電されることから、上記携帯端末に直接充電用ケーブル等を接続する必要が無い。
【００１３】
また、請求項２の考案に係る携帯端末の充電用アダプタ装置は、上記カバー部側接触端子部と、上記プラグ部の複数のコネクタピンとは、接続線路部によって接続され、上記接続線路部は、上記カバー部内部に埋設して配設されていることを特徴とする。
【００１４】
従って、上記接続線路部が、外方から視認されることがない。
【００１５】
また、請求項３の考案に係る携帯端末の充電用アダプタ装置は、上記カバー部は全体長方形状に形成され、上記携帯端末の裏面部を被覆しうる裏面被覆部と、上記裏面被覆部の外周縁部に沿って設けられ、上記携帯端末の側面部を被覆しうる側面被覆部とを備え、上記カバー部側接触端子部は、上記カバー部の長さ方向一端部に配設されていることを特徴とする。
【００１６】
従って、上記携帯端末を立てた状態で、上記台部に装着し、充電を行うことができる。
【００１７】
また、請求項４の考案に係る携帯端末の充電用アダプタ装置は、上記カバー部は弾性部材から形成されていることを特徴とする。
【００１８】
従って、上記カバー部は外部衝撃からの保護機能を有する。
【００１９】
また、請求項５の考案に係る携帯端末の充電用アダプタ装置は、上記携帯端末はスマートフォンであることを特徴とする。
【考案の効果】
【００２０】
請求項１及び５の考案にあっては、ＵＳＢ充電用端子を備えた携帯端末の外側面部の少なくとも一部を被覆しうるカバー部と、上記携帯端末に上記携帯端末に上記カバー部を装着した状態で、上記携帯端末を挿入して立て掛け可能な台部とからなり、上記カバー部には、上記携帯端末のＵＳＢ充電用端子に挿し込み可能なプラグ部が突設されると共に、上記カバー部の一端部には、上記プラグ部の複数のコネクタピンに夫々接続されたカバー部側接触端子部を備え、上記台部には、上記携帯端末に上記カバー部を装着した状態で、上記携帯端末を挿入可能な開口部と、上記開口部から上記携帯端末を挿入した場合に、上記カバー部側接触端子部が当接しうる位置に形成された台部側接触端子部と、ＡＣ電源アダプタに接続しうるＵＳＢ接続端子部とが配設されていることから、カバー部を装着することによって、上記台部に携帯端末を挿入して、立て掛けた状態で充電を行うことができると共に、上記台部に立てかけた状態で、上記カバー部側接触端子部と上記台部側接触端子部を介して通電されることから、上記携帯端末に直接充電用のケーブル等を接続する必要が無い。
従って、ＵＳＢ充電用端子を備えた携帯端末において、充電用のケーブルを直接携帯端末に接続することなく充電が可能であり、且つ充電時に電話等を受信しても、載置した場所から滑り落ちる虞が無く、且つ充電時における外観品質が高い充電用アダプタ装置を提供することができる。
【００２１】
また、請求項２の考案にあっては、上記カバー部側接触端子部と上記プラグ部の複数のコネクタピンとは、接続線路部によって接続され、上記接続線路部は、上記カバー部内部に埋設して配設されていることから、上記接続線路部は、外方からは視認されず、充電作業時の外観品質がより高くなる。
【００２２】
また、請求項３にあっては、上記カバー部は全体長方形状に形成され、上記携帯端末の裏面部を被覆しうる裏面被覆部と、上記裏面被覆部の外周縁部に沿って設けられ、上記携帯端末の側面部を被覆しうる側面被覆部とを備え、上記カバー部側接触端子部は、上記カバー部の長さ方向一端部に配設されていることから、上記携帯端末を立てた状態で、上記台部に装着し、充電を行うことができるため、充電時における外観品質が更に向上する。
【００２３】
また、請求項４の考案に係る携帯端末の充電用アダプタ装置は、上記カバー部は弾性部材から形成されていることから、外部からの衝撃があった場合でも携帯端末を保護することができる。
【図面の簡単な説明】
【００２４】
【図１】本考案の一実施の形態を示し、実施の形態に係る携帯端末の充電用アダプタ装置において、携帯端末にカバー部を装着した状態で台部の開口部に素入して立て掛けた状態を示す斜視図である。
【図２】本考案の一実施の形態を示し、実施の形態に係る携帯端末の充電用アダプタ装置のカバー部の（ａ）は全体斜視図、（ｂ）はプラグ部、カバー部側接触端子及び接続線路の接続構成を示す斜視図である。
【図３】本考案の一実施の形態を示し、実施の形態に係る携帯端末の充電用アダプタ装置の台部の斜視図である。
【図４】本考案の一実施の形態を示し、実施の形態に係る携帯端末を充電する場合の接続構成を示す概念図である。
【図５】充電用のＵＳＢ端子を有する携帯電話を充電する場合の、従来の接続構成を示す概念図である。
【考案を実施するための最良の形態】
【００２５】
以下、本考案の実施の形態について、携帯端末がスマートフォンである場合を例として、添付図面を用いて説明する。
図１に示すように、本実施例に係る携帯端末の充電用アダプタ装置１０は、スマートフォン１１の裏面部を被覆する裏面被覆部１２ａと、側面を被覆する側面被覆部１２ｂを備え、弾性部材から形成されたカバー部１２と、上記スマートフォン１１に上記携帯端末１１に上記カバー部１２を装着した状態で、上記スマートフォン１１を挿入して立て掛け可能な台部１３とからなる。
また、図１、及び図２に示すように、上記カバー部１２には、上記スマートフォン１１のＵＳＢ充電用端子１４に挿し込み可能なプラグ部１５が突設されると共に、上記カバー部１２の一端部１６には、上記プラグ部１５の４本のコネクタピン１７，１７，１７，１７に夫々接続されたカバー部側接触端子部１８，１８，１８，１８を備えている。
また、図３に示すように、上記台部１３には、上記携帯端末１１に上記カバー部１２を装着した状態で、上記スマートフォン１１（図３には図示せず）を挿入可能な開口部１３ａと、上記開口部１３ａから上記スマートフォン１１を挿入した場合に、上記カバー部側接触端子部１８，１８，１８，１８（図３には図示せず）が当接しうる位置に形成された台部側接触端子部１９，１９，１９，１９と、ＡＣ電源アダプタ２０（図３には図示せず）に接続しうるＵＳＢ接続端子部２１とが配設されている。
また、図２（ｂ）に示すように上記カバー部側接触端子部１８，１８，１８，１８と上記プラグ部１５の複数のコネクタピン１７，１７，１７，１７とは、接続線路部２２によって接続され、上記接続線路部２２は、図２（ａ）に示すように、上記カバー部１２内部に埋設して配設されている。
また、上記カバー部１２は全体略長方形状に形成され、上記カバー部側接触端子部１８，１８，１８，１８は、上記カバー部１２の長さ方向一端部１２ｃの外側面部に配設されている。
【実施例】
【００２６】
以下、上記形態の実施例の構成について、添付図面を用いて詳述する。
図２（ａ）に示すように、本実施例に係る携帯端末の充電用アダプタ装置１０のカバー部材１２は、ゴム、エラストマー等の弾性を有する素材から形成され、カバー部１２を装着した状態で、スマートフォン１１の操作が可能となるように、装着するスマートフォン１１（図２には図示せず）に配設されている各種操作ボタン２７の他、カメラレンズ等の位置に合わせて、孔部２３，２３，２３が形成されている。
【００２７】
なお、図２（ｂ）に示すように、本実施例にあっては、上記プラグ部１５のコネクタピン１７，１７，１７，１７の構成は、ＵＳＢ規格におけるミニＢ端子の雄側と同一の構成となるように形成されているが、スマートフォン１１の機種により、ＵＳＢ充電用端子の形状が異なる場合は、適宜他の端子形状に変更することができる。
【００２８】
また、図３に示すように、台部１３は横倒し三角柱形状に形成され、スマートフォン１１を挿入可能な上記開口部１３ａは、一の側面部に形成されている。
図３に示すように台部側接触端子部１９，１９，１９，１９は、図１に示すように、スマートフォン１１を装着した場合に、上記カバー部１２のカバー部側接触端子部１８，１８，１８，１８（図１には図示せず）に当接する位置に夫々突出して配設されている。
【００２９】
また、図４は、本実施例の形態において、スマートフォン１１を充電する場合の接続構成を示す概念図である。
図４に示すように、コンセント２４、ソケット部２５、ＡＣ電源アダプタ２０、及び上記ＡＣ電源アダプタ２０のＵＳＢ端子２６については、図５に示す従来の充電時接続構成と同様である。
また、図２（ａ）、（ｂ）に示すように、カバー部１２において、信号変換装置等の複雑な装置は不要であり、図２（ｂ）に示すように、コネクタピン１７，１７，１７，１７を、接続線路部２２を介して、夫々板状のカバー部側接触端子部１８，１８，１８，１８に接続するのみでよい。
また、図３に示すように、上記台部１３の台部側接触端子部１９，１９，１９，１９についても、上記カバー部１２と同様に、ＵＳＢ接続端子部２１の各コネクタピン（図示せず）とそのまま接続するように形成されている。
従って、装置構造は極めて単純であり、製作が容易である。
【００３０】
図１に示すように、本実施例にあっては、上記台部１３に、スマートフォン１１を縦方向に立て掛け、ディスプレイ２７を前方に向けた状態で充電が可能であるため、充電時の形態が美しく、外観品質が高い。
また、台部１３に装着することによって、安定性が向上するため、充電中に電話やメール等を受信した場合であっても、スマートフォン１１が倒れてしまうことが無い。
【００３１】
また、製造メーカーの固有仕様であるＡＣ電源アダプタについては、何ら変更を加える必要が無いため、カバー部のプラグ部を製造メーカー毎にＵＳＢ充電用端子の形状に対応させることによって、如何なる製造メーカーのスマートフォンであっても容易に適用することができる。
【００３２】
なお、本実施例にあっては、携帯端末がスマートフォンである場合を例として説明したが、ＵＳＢの充電用端子を有する機器であれば、本実施例と同様の作用効果を得ることが可能である。
また、カバー部の全体形状、孔部の位置、プラグ部の位置、カバー部側接触端子部、及び台部の台部側接触端子部等は、携帯端末の製造メーカー及び機種等によって適宜変更することができる。
【産業上の利用可能性】
【００３３】
本考案は、ＵＳＢ充電用端子を備えたスマートフォン等の携帯端末の充電用アダプタ装置に適用可能である。
【符号の説明】
【００３４】
１０  携帯端末の充電用アダプタ装置
１１  スマートフォン
１２  カバー部
１２ａ裏面被覆部
１２ｂ側面被覆部
１３  台部
１３ａ台部の開口部
１４  ＵＳＢ充電用端子
１５  プラグ部
１６  カバー部の一端部
１７  コネクタピン
１８  カバー部側接触端子部
１９  台部側接触端子部
２０  ＡＣ電源アダプタ
２１  ＵＳＢ接続端子部
２２  接続線路部
２３  孔部
２４  コンセント
２５  ソケット部
２６  ＵＳＢ端子
２７  操作ボタン
７０  スマートフォン
７１  ディスプレイ
７２  操作ボタン
７３  ＵＳＢ充電用端子
７４  ＡＣ電源アダプタ
７５  ソケット部
７６  コンセント
７７  ＵＳＢ端子
７８  接続ケーブル
【図１】
0003168386.tif 000003
【図２】
0003168386.tif 000004
【図３】
0003168386.tif 000005
【図４】
0003168386.tif 000006
【図５】
0003168386.tif 000007